(57)【要約】【課題】ふきこぼれを確実に検知し、トッププレートの清掃が容易な誘導加熱装置を提供すること。【解決手段】調理容器１を載置するトッププレート２と、調理容器１を加熱するために誘導磁界を発生させる加熱コイル３と、加熱コイル３に供給する高周波電流を制御して調理容器１の加熱電力を制御する加熱制御部４と、トッププレート２下面に配した複数の同一面積の電極５と、トッププレート２上に被調理物が付着することで電極５に生じる静電容量の変化を検出する静電容量検出手段６を有し、静電容量検出手段６によって静電容量に変化があったことを検出すると、加熱制御部４によって加熱電力を変更させるように制御を行う誘導加熱装置であって、電極５と静電容量検出手段６を接続する配線長を略同等とすることにより、電極毎のふきこぼれの検出ばらつきを押さえることができる。【選択図】図１
2014239066.tif 000002
【特許請求の範囲】
【請求項１】
調理容器を載置するトッププレートと、調理容器を加熱するために誘導磁界を発生させる加熱コイルと、前記加熱コイルに供給する高周波電流を制御して調理容器の加熱電力を制御する加熱制御部と、前記トッププレート下面に配した複数の電極と、前記トッププレート上に被調理物が付着することで前記電極に生じる静電容量の変化を検出する静電容量検出手段とを備え、前記静電容量検出手段によって静電容量に変化があったことを検出すると、前記加熱制御部によって加熱電力を変更させるように制御を行う誘導加熱装置であって、前記複数の電極の略近傍に金属部を配する構成とした誘導加熱装置。
【請求項２】
金属部は、電極との距離を略同等とした請求項１に記載の誘導加熱装置。
【請求項３】
金属部は、加熱制御部あるいは静電容量検出手段の安定した電位と接続した請求項１または２に記載の誘導加熱装置。
【発明の詳細な説明】
【技術分野】
【０００１】
本発明は、一般家庭、レストラン及びオフィスなどで使用される誘導加熱装置に関するものである。
【背景技術】
【０００２】
従来、この種の誘導加熱装置は、調理容器や調理容器からふきこぼれた食材等がトッププレート下面に配した電極上を覆うことによって静電容量が変化し、その変化から調理容器の大きさなどを検出する方法が開示されている（例えば、特許文献１参照）。
【先行技術文献】
【特許文献】
【０００３】
【特許文献１】特開２００８−１５９４９４号公報
【発明の概要】
【発明が解決しようとする課題】
【０００４】
しかしながら、前記従来の構成では、調理容器の大きさや載置位置、電極の形状や配置などによって誘導加熱時に発生する電界の影響が異なるという課題を有していた。
【０００５】
本発明は、前記従来の課題を解決するもので、調理容器の大きさや電極が変わっても電界の影響の受け方を同じとして、ふきこぼれの検出を容易とすることのできる誘導加熱装置を提供することを目的とする。
【課題を解決するための手段】
【０００６】
前記従来の課題を解決するために、本発明の誘導加熱装置は調理容器を載置するトッププレートと、調理容器を加熱するために誘導磁界を発生させる加熱コイルと、前記加熱コイルに供給する高周波電流を制御して調理容器の加熱電力を制御する加熱制御部と、前記トッププレート下面に配した複数の電極と、前記トッププレート上に被調理物が付着することで前記電極に生じる静電容量の変化を検出する静電容量検出手段とを備え、前記静電容量検出手段によって静電容量に変化があったことを検出すると、前記加熱制御部によって加熱電力を変更させるように制御を行う誘導加熱装置であって、前記複数の電極の略近傍に金属部を配する構成とするものである。
【０００７】
これによって、ふきこぼれた被加熱物が電極と金属部の両方にかかるようにすることによって、静電容量検出手段の検出を容易とすることができる。
【発明の効果】
【０００８】
本発明の誘導加熱装置によれば、ふきこぼれた被加熱物が電極と金属部の両方にかかるようにすることによって、静電容量検出手段の検出を容易とすることができる。
【図面の簡単な説明】
【０００９】
【図１】本発明の実施形態１の誘導加熱装置のブロック図
【図２】本発明の実施の形態１における誘導加熱装置の静電容量検出手段の静電容量検出結果を示す図
【図３】本発明の実施の形態１における誘導加熱装置の電極と静電容量検出手段を接続する配線長を同じとしたときのレイアウト図
【図４】本発明の実施の形態１における誘導加熱装置の静電容量検出手段を１カ所にまとめたときのレイアウト図
【図５】本発明の実施の形態４における誘導加熱装置の電極と静電容量検出手段を接続する配線長の異なるレイアウト図
【図６】実施の形態４におけるふきこぼれの検知例を示す図
【図７】本発明の実施の形態６における誘導加熱装置の電極の略近傍の金属部のレイアウトを示す図
【図８】本発明の実施の形態６における誘導加熱装置の電極の略近傍の金属部上へのふきこぼれを示した図
【発明を実施するための形態】
【００１０】
第１の発明は、調理容器を載置するトッププレートと、調理容器を加熱するために誘導磁界を発生させる加熱コイルと、前記加熱コイルに供給する高周波電流を制御して調理容器の加熱電力を制御する加熱制御部と、前記トッププレート下面に配した複数の電極と、前記トッププレート上に被調理物が付着することで前記電極に生じる静電容量の変化を検出する静電容量検出手段とを備え、前記静電容量検出手段によって静電容量に変化があったことを検出すると、前記加熱制御部によって加熱電力を変更させるように制御を行う誘導加熱装置であって、前記複数の電極の略近傍に金属部を配する構成とすることにより、ふきこぼれた被加熱物が電極と金属部の両方にかかるようにすることによって、静電容量検出手段の検出を容易とすることができる。
【００１１】
第２の発明は、特に、第１の発明の金属部は、電極との距離を略同等とすることにより、ふきこぼれた被加熱物が金属部にかかる割合を電極毎に同一とすることで検出の精度を同一とすることができる。
【００１２】
第３の発明は、特に、第１または第２の発明の金属部は、加熱制御部あるいは静電容量検出手段の安定した電位と接続したことにより、静電容量検出手段の検出をより確実にすることができる。
【００１３】
他の発明としては、調理容器を載置するトッププレートと、調理容器を加熱するために誘導磁界を発生させる加熱コイルと、前記加熱コイルに供給する高周波電流を制御して調理容器の加熱電力を制御する加熱制御部と、前記トッププレート下面に配した複数の同一面積の電極と、前記トッププレート上に被調理物が付着することで前記電極に生じる静電容量の変化を検出する静電容量検出手段とを備え、前記静電容量検出手段によって静電容量に変化があったことを検出すると、前記加熱制御部によって加熱電力を変更させるように制御を行う誘導加熱装置であって、前記電極と前記静電容量検出手段を接続する配線長が異なる場合、前記静電容量検出手段が静電容量の変化を検出する閾値を配線長に応じて設定することにより、配線長に依存する電界の影響度合いに応じて閾値を変更することにより、電極毎の感度を同一とすることができる。
【００１４】
他の発明としては、調理容器を載置するトッププレートと、調理容器を加熱するために誘導磁界を発生させる加熱コイルと、前記加熱コイルに供給する高周波電流を制御して調理容器の加熱電力を制御する加熱制御部と、前記トッププレート下面に配した複数の電極と、前記トッププレート上に被調理物が付着することで前記電極に生じる静電容量の変化を検出する静電容量検出手段とを備え、前記静電容量検出手段によって静電容量に変化があったことを検出すると、前記加熱制御部によって加熱電力を変更させるように制御を行う誘導加熱装置であって、前記複数の電極の面積が異なる場合、前記静電容量検出手段が静電容量の変化を検出する閾値を電極面積に応じて設定することにより、電極面積に依存する電界の影響度合いに応じて閾値を変更することとなり、電極毎の感度を同一とすることができる。
【００１５】
他の発明としては、調理容器を載置するトッププレートと、調理容器を加熱するために
誘導磁界を発生させる加熱コイルと、前記加熱コイルに供給する高周波電流を制御して調理容器の加熱電力を制御する加熱制御部と、前記トッププレート下面に配した複数の同一面積の電極と、前記トッププレート上に被調理物が付着することで前記電極に生じる静電容量の変化を検出する静電容量検出手段とを備え、前記静電容量検出手段によって静電容量に変化があったことを検出すると、前記加熱制御部によって加熱電力を変更させるように制御を行う誘導加熱装置であって、前記電極と前記静電容量検出手段を接続する配線長を略同等とすることにより、誘導加熱時に発生する電界の影響を略同等とし、検出感度の調整を不要とすることができる。
【００１６】
上記発明のトッププレート下面に配した複数の電極は、トッププレートに導電性材料を印刷して構成したことにより、電極とトッププレートが一体化するため、安定した検出を行うことができる。
上記発明の電極と静電容量検出手段を接続する配線は、トッププレートに導電性材料を印刷して構成することにより、機器内部の省スペース化が図れると共に、静電容量の変動を押さえることができるためにふきこぼれの検出を安定化することができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における誘導加熱装置のブロック図を示す。
【００１９】
図１において、調理物を加熱するための調理容器１を載置するトッププレート２と、調理容器１を加熱するために誘導磁界を発生させる加熱コイル３と、商用電源からの電力を変換して加熱コイル３に高周波電流を供給するインバータ回路７と、インバータ回路７を制御して調理容器１の加熱電力を制御する加熱制御部４とを構成している。
【００２０】
電極５は、トッププレート２の下面に構成され、電極５が他の導電体との間で構成する静電容量の変化を検出する静電容量検出手段６が加熱制御部４と接続され、加熱制御部４は静電容量検出手段６の結果に応じてインバータ回路７を制御して、加熱コイル３に供給する高周波電流を変化することにより、調理容器１への加熱電力が制御される。
【００２１】
調理容器１は、食材などの被調理物を入れる容器であって、鍋、フライパン、やかんなどであり、誘導加熱によって加熱が可能なものである。
【００２２】
調理容器１は、誘導加熱装置の外郭の一部を形成するトッププレート２上に載置される。そのとき、調理容器１は加熱コイル３と対向する位置に載置される。トッププレート２は結晶化ガラスを使用することが多いが、それに限定するものではない。
【００２３】
加熱コイル３は、加熱制御部４の指示に従って動作するインバータ回路７から高周波電流が供給され、その電流によって高周波磁界を発生させる。高周波磁界を受けた調理容器１には渦電流が発生し、その渦電流によって調理容器１が加熱される。
【００２４】
加熱制御部４は、誘導加熱装置の使用者が加熱電力などを指示するための操作部８やインバータ回路７が接続されている。加熱制御部４は、例えば操作部８によって自動調理モードを指示された場合には、その自動調理内容に応じてインバータ回路７を制御する。
【００２５】
また、使用者が加熱の開始や停止、あるいは加熱電力の調節を操作部８より行った場合にも、加熱制御部４はインバータ回路７を制御して所望の動作となるように制御するものである。
【００２６】
電極５は、トッププレート２の下面に塗布または接着などによって形成される導電体であって、トッププレート２上の導電体とでコンデンサを形成する。通常はトッププレート２上には何もない状態であるため、空気がその役割を果たす。
【００２７】
しかし、調理容器１、指、水、被調理物などの別の物がトッププレート２上にあると、それぞれの比誘電率が空気と異なるため静電容量が変化する。この静電容量の変化を静電容量検出手段６によって検出する。
【００２８】
静電容量検出手段６は、静電容量の変化を直流電圧の変化などに変換して検知するものが多いが、それに限定するものではない。
【００２９】
以上のように構成された誘導加熱装置について、以下その動作、作用を説明する。
【００３０】
使用者が操作部８によって加熱の開始を指示すると、加熱制御部４はインバータ回路７を動作させて加熱コイル３に高周波電流を供給する。これにより、加熱コイル３から高周波磁界が発生し、調理容器１の加熱が開始される。
【００３１】
加熱制御部４は、操作部８を操作することによって使用者が設定した火力になるようにインバータ回路７を制御する。具体的には、例えばインバータ回路７の入力電流を検出し、その検出値を加熱制御部４に入力する。
【００３２】
加熱制御部４は、使用者が設定した火力とインバータ回路７の入力電流とを比較して、インバータ回路７の動作状態を変更する。このような動作を繰り返すことによって、使用者が設定した火力に制御し、その火力を維持するように加熱制御部４は動作する。
【００３３】
このようにして、調理容器１を加熱している際、調理容器１内の被調理物が沸点に到達するなどして被調理物が調理容器１外にふきこぼれる場合がある。
【００３４】
その際、加熱電力を減少させることなく加熱を継続すると、調理容器１から次々に被調理物がこぼれ、操作部８にかかって操作部８が熱くて操作できない、誘導加熱装置の吸排気口に被調理物が入って清掃することができなくなるなどの不具合が生じる可能性がある。
【００３５】
また、調理容器１からトッププレート２上にふきこぼれた被調理物が、熱が加わることによってトッププレート２にこびりついてしまう場合があった。
【００３６】
しかし、静電容量検出手段６の検出した静電容量の変化を検出した場合に加熱電力を減少あるいは加熱を停止ことによって、ふきこぼれが継続することを防止し、被調理物がトッププレート２にこびりついてしまうことがないようにすることができる。
【００３７】
このような誘導加熱装置を実現する際、誘導加熱時に発生する電界の影響を受けて静電容量検出手段６にエネルギーが注入され、本来検出しようとしている電極５と被調理物とで構成される静電容量を正確に検出できなくなる場合がある。
【００３８】
図２は、本発明の第１の実施の形態における誘導加熱装置の静電容量検出手段の静電容量検出結果を示す図である。
【００３９】
図２（ａ）は電界の影響を受けていないときの例を示したものである。Ｔａで誘導加熱を開始しても、検出値は加熱開始前のＡを維持している。そして、Ｔｂでふきこぼれが発
生して電極５上を被加熱物が覆ったことによって静電容量が増加し、それを検出する静電容量検出手段６の検出値としては低下している。
【００４０】
これは、静電容量検出手段６が、電極５の静電容量増加によるインピーダンス変化を抵抗分圧で観測する構成としているためであるが、そのような構成に限定するものではない。
【００４１】
そして、Ｔｃ以降はふきこぼれた被加熱物が移動していくにつれて電極５上へのかかり方が異なり、静電容量が変化して検出値も徐々に変化している様子がわかる。
【００４２】
一方、電界の影響を受ける例が図２（ｂ）である。加熱開始前はＡであった検出値が、Ｔａで誘導加熱を開始するとＣまで上昇する。これは、電極５に形成された浮遊容量が減少したことによって静電容量検出手段６の検出が増加したのではなく、誘導加熱を開始したことによって発生した電界から電極５を介してエネルギーが注入され、結果として静電容量検出手段６の検出値が増加したものと考えられる。
【００４３】
そして、Ｔｂでふきこぼれが発生してふきこぼれた被加熱物が電極５上を覆うと、ふきこぼれた被加熱物がアンテナの役割を果たして、ふきこぼれ前よりも電界の影響を大きく受け、静電容量検出手段６の検出値は大幅に上昇してＤとなる。
【００４４】
そして、Ｔｄで誘導加熱を停止させると静電容量検出手段６の検出値は電界の影響を受けなくなり、電極５が形成している静電容量のみの値となる。そのとき、加熱開始前にはなかった被加熱物が電極５上を覆うことによって静電容量が増加しているため、加熱開始前の検出値Ａよりも値の小さいＥという検出値となっている。
【００４５】
このように、電界の影響を受けないときは、図２（ａ）のように電極５の形成する静電容量の変化に対して忠実に静電容量検出手段６の検出値が変動する。
【００４６】
しかし、図２（ｂ）のように電界の影響を受けるときには電極５の形成する静電容量だけではなく、電界から電極５を介して注入されるエネルギーの大きさによっても静電容量検出手段６の検出値が変動する。
【００４７】
なお、図２はふきこぼれの一例であり、必ず図２のような検出値の変化を示すとは限らない。
【００４８】
このような電界の影響の受け方は、様々な要因で決まる。その一つに、電極５と静電容量検出手段６とを接続する配線がある。配線の長さやその引き回し方によって、電界の影響が異なる。例えば、配線が円に近い形で引き回されたとすると、その配線はループアンテナとして機能することになるからである。また、配線が長い場合にもアンテナとして機能しやすい。
【００４９】
そこで、本発明では、電極５と静電容量検出手段６を接続する配線長を略同等とした誘導加熱装置として、電界の影響が複数の電極５で同じレベルになるようにし、ふきこぼれの検出条件を同じとすることができる。
【００５０】
そうすることによって、ふきこぼれを検出する電極毎に感度が異なり、使用者に違和感を与えるといったことを防止することができ、使い勝手の良い誘導加熱装置を提供することができる。
【００５１】
図３は、本発明の第１の実施の形態における誘導加熱装置の電極と静電容量検出手段を
接続する配線長を同じとしたときのレイアウト図である。
【００５２】
図３において、１つの誘導加熱部に対して３つの同一面積の電極５（５ａａ、５ａｂ、５ａｃ）を配している。そして、電極５の静電容量を検出する静電容量検出手段６（６ａａ、６ａｂ、６ａｃ）をそれぞれの電極５の近傍かつ等距離に配したものである。
【００５３】
このような配置では、配線長が３つの電極５で同じであるばかりでなく、配線長自体が短いために電界の影響を受けにくいという利点を有する。但し、静電容量検出手段６が点在するために機器内部のレイアウトが複雑となり、また静電容量検出手段６を別々に構成することによってコストが上がり、結果として高価なものとなってしまうなどの欠点もある。
【００５４】
図４は、本発明の第１の実施の形態における誘導加熱装置の静電容量検出手段を１カ所にまとめたときのレイアウト図であり、１つの誘導加熱部のみを示している。
【００５５】
図４では、それぞれの静電容量検出手段６を近傍に配置するようにしたものである。このような配置とすることによって、複数の静電容量検出手段６を集約することができ、機器内部のレイアウトを簡素なものとすることができ、機器内部の冷却が有利となって信頼性の高い誘導加熱装置を実現することができる。
【００５６】
また、安価に製造することができるため、使用者にも便益を提供するものである。
【００５７】
このようなレイアウトにおいて、電極５と静電容量検出手段６とを最短距離で配線してしまうと電界の影響の受け方が電極毎に異なり、使用者にとって違和感を与えてしまう。そのため、静電容量検出手段６の検出感度を電極５毎に調整する必要が出てくる。
【００５８】
したがって、図４のように配線長がどの電極５に対しても同じとなるようにすることで、電界の影響の受け方が同じになり、ふきこぼれの検出感度あるいは電極５が変わっても同じとすることができ、使用者が安心して利用できる誘導加熱装置を実現することができる。
【００５９】
（実施の形態２）
次に本発明の第２の実施の形態について説明する。実施の形態１と同一部分は説明を省略し、相違点についてのみ説明する。
【００６０】
本実施の形態では、トッププレート２下面に配した複数の電極５は、トッププレート２に導電性材料を印刷して構成したものである。
【００６１】
電極５としては、導電性の材料であれば電極として機能するため、例えば金属の板をトッププレート下面に配置すれば良い。しかしながら、電極５に生じる静電容量は極めて小さい。そのため、小さな要因でも静電容量の値が変化する。例えば、金属板とトッププレートの間に隙間ができただけでも静電容量の値が変化する。
【００６２】
したがって、静電容量の値を安定して取得するために、トッププレート２の裏面に導電性材料を印刷して電極５を構成する。そうすることによって、トッププレート２と電極５の距離が一定に保たれるため、静電容量の値が安定する。
【００６３】
よって、ふきこぼれの検出を安定して行うことができる。また、機器の組立が簡略化されるために安価に製造することができ、使用者に便益をもたらすものである。
【００６４】
（実施の形態３）
次に本発明の実施の形態３について説明する。実施の形態１と同一部分は説明を省略し、相違点についてのみ説明する。
【００６５】
本実施の形態では、電極５と静電容量検出手段６を接続する配線は、トッププレート２に導電性材料を印刷して構成したものである。
【００６６】
電極５と静電容量検出手段６とを接続する配線は、電気的に接続されていれば良いため、ビニール被複線等で接続しても良い。しかし、実際には実施の形態２で説明したように、電極５に生じる静電容量は極めて小さいため、配線長が異なったりその引き回し状態が変わるだけでも静電容量に影響する場合がある。
【００６７】
そのような状態では、ふきこぼれの検出精度にばらつきが出る可能性がある。よって、配線は長さや引き回しが安定した状態であることが望ましい。
【００６８】
したがって、静電容量の値を安定して取得するため、トッププレート２の裏面に導電性材料を印刷して、電極５と静電容量検出手段６とを電気的に接続することによって静電容量の値が安定する。よって、ふきこぼれの検出を安定して行うことができる。また、機器の組立が簡略化されるために安価に製造することができ、使用者に便益をもたらすものである。
【００６９】
（実施の形態４）
次に本発明の第４の実施の形態について説明する。実施の形態１と同一部分は説明を省略し、相違点についてのみ説明する。
【００７０】
本実施の形態では、電極５と静電容量検出手段６とを電気的に接続する配線長が異なる場合、静電容量検出手段６が静電容量の変化を検出する閾値を配線長に応じて設定する誘導加熱装置としたものである。
【００７１】
図５は本実施の形態における誘導加熱装置の電極と静電容量検出手段を接続する配線長の異なるレイアウト図を示す。図５においては、１つの誘導加熱部のみを示している。実施の形態１で説明したように、静電容量検出手段６を図３のように電極毎に点在して配置すると、配線長自体を短くすることができるために電界の影響を受けにくいという利点を有する。
【００７２】
しかし、静電容量検出手段６が点在するために機器内部のレイアウトが複雑となり、また静電容量検出手段６を別々に構成することによってコストが上がり、結果として高価なものとなってしまうなどの欠点がある。
【００７３】
したがって、静電容量検出手段６を図４や図５のようにまとめて配置した方が、機器内部のレイアウトを簡素化すると共に、製造コストを削減して安価に提供することができる。
【００７４】
その場合には、電極５と静電容量検出手段６との距離が異なるため、実施の形態１では配線長が同じとなるように構成した。
【００７５】
その場合には、電界の影響の受け方が同じとなり、静電容量検出手段６が静電容量の値の変化を検出する際にそれぞれの電極５で感度が同じであるため、判定閾値を同じとすればよい。
【００７６】
しかしながら、図５のように電極５と静電容量検出手段６との配線を最短距離に近い形にすると、電極毎に配線長が異なる。そうすると、電界の影響の受け方が異なり、感度がばらついてしまう。
【００７７】
図６は本発明の第４の実施の形態における誘導加熱装置のふきこぼれの検知例を示す図ふきこぼれの検知例を示す。図６（ａ）は、電界の影響を受けないときの静電容量検出手段６の検出値の変化を示す。加熱開始前、検出値はＡである。そして、Ｔａで加熱が開始され、Ｔｂでふきこぼれが発生して被加熱物が電極５上を覆うと検出値が減少し、Ｔｃの時には検出値がＢまで減少する。
【００７８】
そして、ふきこぼれた被加熱物が徐々に移動して電極５上の覆い方が変化すると、検出値は徐々に上昇する。このような検出値の変化において、この例ではふきこぼれが発生して被加熱物が電極５上を覆うことによって静電容量が変化し、静電容量検出手段６の検出値としてはＡからＢまで変化しており、その変化量はＥである。
【００７９】
したがって、ふきこぼれ前の値からＥ以下の変化があればふきこぼれが発生したと判定することができる。具体的には、例えば、閾値をＥ／２とすると、静電容量検出手段６の検出値が（Ａ−Ｅ／２）以下になれば、ふきこぼれと判定できる。
【００８０】
次に、図６（ｂ）は、電界の影響を少し受ける場合の例である。加熱開始前の検出値はＡであるが、Ｔａで加熱が開始されると検出値が電界からエネルギーを注入されてわずかに上昇する。
【００８１】
そしてＴｂでふきこぼれが発生して被加熱物が電極５上を覆うと検出値が減少し、Ｔｃの時には検出値がＣまで減少する。そして、ふきこぼれた被加熱物が徐々に移動して電極５上の覆い方が変化すると、検出値は徐々に上昇する。
【００８２】
このような検出値の変化において、この例ではふきこぼれが発生して被加熱物が電極５上を覆うことによって静電容量が変化し、静電容量検出手段６の検出値としてはＣまで減少しており、その変化量はＦである。
【００８３】
図６（ｂ）では加熱開始後からの変化量としているが、加熱開始前の検出値（Ａ）からの変化量としても良い。判定としては、Ｆ以下の変化があればふきこぼれが発生したと判定することができる。
【００８４】
図６（ａ）の変化量Ｅに比べて、図６（ｂ）の変化量Ｆの方が小さい。これは、図６（ｂ）では電界の影響を受けているためである。実施の形態１で説明したように、静電容量検出手段６が電極５の静電容量増加によるインピーダンス変化を抵抗分圧で観測する構成としている場合、ふきこぼれが発生して被加熱物が電極５上を覆うと静電容量検出手段６の検出値としては減少するのに対して、電界の影響を受けるとエネルギーを注入されて検出値としては上昇する。
【００８５】
Ｔａの時には電界の影響だけを受けて検出値が上昇するのに対して、Ｔｂの時には電界の影響とふきこぼれの発生によって静電容量が増加して検出値が減少する二つの事象が重なるため、変化量としては減少する。
【００８６】
図６（ｃ）は、電界の影響をさらに受ける場合で、変化量としてはさらに減少してＧだけになる。このように、電界の影響の受け方によって検出値の変化量が異なるため、ふきこぼれの発生を検出する閾値を最適化しなければならない。
【００８７】
例えば、図６（ａ）に基づいて閾値をＥ／２としたときに、図６（ｃ）ではＧしか変化しないため、Ｅ／２＞Ｇであれば検出できないことになる。
【００８８】
電界の影響の受けるレベルは、本実施の形態においては配線長によって異なる。配線長が長くなると電界の影響を受けやすくなるため、ふきこぼれた際の変化量が小さくなる。よって、配線長と変化量の関係から閾値を決定することによって、確実にふきこぼれを検出することができる。
【００８９】
（実施の形態５）
次に本発明の第５の実施の形態について説明する。実施の形態１と同一部分は説明を省略し、相違点についてのみ説明する。
【００９０】
本実施の形態では、複数の電極５の面積が異なる場合、静電容量検出手段６が静電容量の変化を検出する閾値を電極面積に応じて設定する誘導加熱装置としたものである。
【００９１】
実施の形態４では、配線長が異なることによって電界の影響の受け方が異なることを説明したが、電極の面積が異なった場合にも同様に電界の影響が異なる。したがって、電極面積と変化量の関係から閾値を決定することによって、確実にふきこぼれを検出することができる。
【００９２】
（実施の形態６）
次に本発明の第６の実施の形態について説明する。実施の形態１と同一部分は説明を省略し、相違点についてのみ説明する。
【００９３】
本実施の形態では、複数の電極５の略近傍に金属部を配する構成とした誘導加熱装置としたものである。
【００９４】
ふきこぼれが発生して被加熱物が電極５上を覆うと、電界の影響を受けて静電容量検出手段６の検出値に影響を及ぼす。その際、ふきこぼれた被加熱物が金属部を覆うと、電界の影響を軽減することができる。
【００９５】
図７は、本発明の第５の実施の形態における誘導加熱装置の電極の略近傍の金属部のレイアウト例を示す図であり、トッププレート２を裏面から見た図である。
【００９６】
図７において、誘導加熱装置の外郭を形成するトッププレート２の上面は凹凸がなく、掃除がしやすいことが誘導加熱装置の利点となっている。トッププレート２の裏面は、ガラスの固定、強度の補強などのために周囲に金属部を配している。
【００９７】
図８は、本発明の実施の形態６における誘導加熱装置の電極の略近傍の金属部上へのふきこぼれ例を示す図である。図８（ａ）は金属部９上に被加熱物がこない場合、図８（ｂ）は金属部９上に被加熱物がきた場合である。
【００９８】
図８（ａ）では、ふきこぼれた調理容器１内の被加熱物が電極５上を覆い、調理容器１とも繋がっている。このとき、電極５とふきこぼれた被加熱物でコンデンサを形成しその静電容量を静電容量検出手段６が検出している。
【００９９】
このとき、誘導加熱を行うことによって電界が発生すると、電界から注入されたエネルギーが電極５を介して静電容量検出手段６の検出値に重畳され、本来検出するべき静電容量の変化がわかりにくい状態となる。
【０１００】
このとき、電界の影響度合いは、電極の面積や配線長、配線の引き回しなどの様々な要因によって決定される。
【０１０１】
しかし、図８（ｂ）は金属部９上にもふきこぼれた被加熱物が覆っている。この場合、電極５とふきこぼれた被加熱物で形成されるとコンデンサだけでなく、金属部９とふきこぼれた被加熱物とで形成されるコンデンサが存在し、さらにそれらは同じふきこぼれた被加熱物で接続された状態となる。
【０１０２】
このような状態において、誘導加熱を行うことによって電界が発生すると、電界から注入されたエネルギーが金属部側に抜け、電極５に接続された静電容量検出手段６の検出値には影響を及ぼすことがない。
【０１０３】
したがって、電界の影響を受けることなく静電容量の変化を検出することができ、ふきこぼれを正確に検出することができる。
【０１０４】
さらにその効果を高めるためには、ふきこぼれた被加熱物が電極５と金属部９の両方に覆う必要があるため、金属部９は電極５の近傍である方が望ましく、さらには複数の電極において、電極５と金属部９が同じ距離に配置されることが望ましい。
【０１０５】
また、金属部９は回路のグランド等の変動しない安定した電位と同電位である方がより効果的である。
【０１０６】
このような構成とすることで、複数の電極で異なるレベルの電界の影響を受けるということがなくなり、より確実にふきこぼれを検出することができる。
【産業上の利用可能性】
【０１０７】
以上のように、本発明にかかる誘導加熱装置は、ふきこぼれを検出する電極の面積や配線長を同じにする、あるいはそれらに応じて検出閾値を設定することによって、確実にふきこぼれた被調理物を検出して調理性能を維持したままふきこぼれが継続することを防止し、清掃もしやすいという効果を有しているので、一般家庭などで使用される誘導加熱装置の用途に有効である。
【符号の説明】
【０１０８】
１  調理容器
２  トッププレート
３  加熱コイル
４  加熱制御部
５  電極
６  静電容量検出手段
９  金属部
１０  被加熱物
【図１】
2014239066.tif 000003
【図２】
2014239066.tif 000004
【図３】
2014239066.tif 000005
【図４】
2014239066.tif 000006
【図５】
2014239066.tif 000007
【図６】
2014239066.tif 000008
【図７】
2014239066.tif 000009
【図８】
2014239066.tif 000010